(57)【要約】      （修正有）【課題】齢者や老眼者や視力の弱い者が容易に迅速に使用できるロール式粘着テープクリーナーを提供する。【解決手段】ロール式粘着テープクリーナーの、使用済粘着テープを容易に剥がすために、粘着テープロール側面部に設けた切れ目部分に目印用の着色をし、又は当該切れ目部分のある粘着テープの端部に僅かな幅で未粘着部分を設ける。【選択図】図１
0003167203.tif 000002
【実用新案登録請求の範囲】
【請求項１】
主にロール式粘着テープクリーナーにおいて、使用済粘着テープを容易に剥がすために設けた切れ目部分（粘着テープロール側面部）に目印用の着色をし、又は当該切れ目部分のある粘着テープの端部に僅かな幅で未粘着部分を設ける。そして、それらを一以上用いることで、ユニバーサルに高齢者や老眼者や視力の弱い者が切れ目を瞬時に見つけ、又はそれを瞬時に見つけてより容易で迅速に使用済粘着テープを剥がせるようにしたことを特徴とするユニバーサル粘着テープクリーナー。
【請求項２】
請求項１の使用済粘着テープを容易に剥がすために設けた切れ目部分（粘着テープロール側面部）に、目印用の着色をしたことを特徴とする請求項１記載のユニバーサル粘着テープクリーナー。
【請求項３】
請求項１及び２の使用済粘着テープを容易に剥がすために設けた切れ目部分（粘着テープロール側面部）を、当該テープロールの最外端部からロール芯の中央部に向けて斜めに掘り削って使用済粘着テープをより容易に剥がすことができる末広がり型としたことを特徴とする請求項１記載のユニバーサル粘着テープクリーナー。
【請求項４】
請求項１、２及び３の使用済粘着テープを容易に剥がすために設けた切れ目部分（粘着テープロール側面部）側の粘着テープの端部に、僅かな幅で未粘着部分を設けたことを特徴とする請求項１記載のユニバーサル粘着テープクリーナー。
【請求項５】
請求項１、２、３及び４の使用済粘着テープを容易に剥がすために設けた切れ目部分（粘着テープロール側面部）に目印用の着色をし、又は当該切れ目部分のある粘着テープの端部に僅かな幅で未粘着部分を設けて、それらの一以上を用いたことを特徴とする請求項１記載のユニバーサル粘着テープクリーナー。
【考案の詳細な説明】
【技術分野】
【０００１】  本考案は、主にロール式粘着テープクリーナーにおいて、使用済粘着テープを容易に剥がすために設けた切れ目部分（粘着テープロール側面部）に目印用の着色をし、又は当該切れ目部分のある粘着テープの端部に僅かな幅で未粘着部分を設ける。そして、それらの一以上を用いることで、ユニバーサルに高齢者や老眼者や視力の弱い者が切れ目を瞬時に見つけ、又はそれを瞬時に見つけてより容易で迅速に使用済粘着テープを剥がせるようにしたユニバーサル粘着テープクリーナーに関する。
【背景技術】
【０００２】  粘着テープクリーナーは、ロール式掃除具や粘着テープロールクリーナー等とも呼ばれ、片面を粘着面としてロール巻き芯に幾重にも巻き、床等の汚れを当該ロール一回転分の粘着面に粘着させる。なお、「主に」は円状、平板状、角状等を含む意である。【０００３】  しかし、実際には一回転した使用済粘着テープの剥がしは容易ではなく、特に高齢者や老眼者や視力の弱い者は、強い汚れの粘着テープでは剥がし始めの場所を見つけられずに針や楊子を用いたり直接爪で探している。【０００４】  文献１は、使用済粘着テープを容易に剥ぎ取るために、ロールの端から端まで粘着テープの表面から巻き芯まで貫通するように切り込み部を設け、さらに剥がし部分が一目でわかるよう貫通した切り込み面と巻き芯の表面に目印の色を付ける。【０００５】  しかし、上記切り込み部では高い製作コストを要し、かつ強い粘着力や強い汚れの場合には十分機能しない。さらに、実際には切り込み部の目印が重要であり、貫通した切り込み面と巻き芯の表面にまで着色する効果はない。【０００６】  文献２は、粘着テープの片面に、粘着面とその面の両端に配置されかつ粘着材が塗布されていない未粘着部とを設け、そこには粘着テープが繰り出し方向に沿って裂けないよう表面が未粘着部で着色された帯状の基材を設ける。【０００７】  しかし、上記の断裂防止用の基材が有効ならば、上記テープの左右どちらかの一端部で十分であり両端部に未粘着部を設ける必要性はない。また、未粘着部は両端部同じに製作されるので機能や効果や使用方法も同一となる。【０００８】  そのため、左右どちらかの一端部で上手く剥がせない場合、もう一方の端部でも同じ結果となる可能性が非常に高く、よってそれを両端部に設ける効果はない。また、現実には着色は切れ目を見つけることが最重要であり、上記基材全てを着色する必要性はない。【０００９】  すなわち、文献１及び２は、粘着テープの剥がし作業を容易にする一定程度の効果はあるも、不必要な機能が多くあることで高齢者等を逆に混乱させてしまい、結果として当該剥がし作業を困難とするだけでなく製作コストをも無用に増大させている。【００１０】
【文献１】
特許公開２００８−２０６９４７
【文献２】
特許公開２００９−２７３９０４
【考案の開示】
【考案が解決しようとする課題】
【００１１】  高齢者や老眼者や視力の弱い者は、至近距離のものに対する時だけ老眼鏡を用いるので、日常生活でも常時老眼鏡を使わず、必要時にのみ老眼鏡を使用するのが現実である。【００１２】  ところが、高齢者社会が進む今日では、彼ら自身で清掃等を行わなければならないにもかかわらず、掃除用具等、特に従来のロール式粘着テープクリーナーには、高齢者等への配慮が不足している。【００１３】  例えば、第一に、当該クリーナーの使用済粘着テープを剥がす際に切れ目が粘着テープロール側面部に僅か一筋設けてあるだけでは、暗い室内や夕方や夜等では、老眼鏡を使用しても見つけることは困難となる。【００１４】  また、粘着テープの汚れ具合では、当該切れ目が完全に埋まって老眼鏡を用いても見つけることは困難となる。よって、目印用の着色も切れ目部分にこそ必要である。【００１５】  第二は、老眼等だけでなく握力や筋力の衰えや低下と粘着テープの粘着力等により、使用済粘着テープを容易に剥がせないため、前述文献のように多くの工夫はあってもそれらの使用方法は理解されず、却って混乱させている。【００１６】  すなわち、従来の粘着テープクリーナーは、高齢者や老眼者や視力の弱い者には扱いにくい非ユニバーサルな掃除具となっている。
【課題を解決するための手段】
【００１７】  本考案は、上記課題を解決するために、第一に粘着テープロール側面部に切れ目を設ける。但し、その形状等は、縦一筋の縦筋型やテープロール側面部の最外端部からロール芯中央部に向けて斜めに堀り削る末広がり型に限定しない。【００１８】  重要なことは、切れ目が使用済粘着テープを剥がす先端部となり、かつ剥がし方向を誘導する役割を担うものであれば良い。なお、切れ目は両側にあっても良い。【００１９】  第二に、上記切れ目のある側の粘着テープにおいて、その端部から僅かの幅（例えば３〜５ミリ等）の部分を未粘着部とする。これにより、使用済粘着テープ一枚分をより容易で迅速に剥がすことが可能となる。【００２０】  実際上、指の腹を切れ目に当てて一枚分の使用済粘着テープを捜す際に、当該未粘着部分のある方が指の腹で一枚分ずつの当該テープを選別しやすい。【００２１】  第三に、上記切れ目のある部分を着色する。色及び形状等を特定はしないが、必要以上の着色は使用時の混乱を招くため、切れ目を見つけ易いものであれば良い。例えば、ロール幅を直径とする赤丸シール大の着色等がある。【００２２】  そして、それらを一つ以上用いることで、ユニバーサルに高齢者や老眼者や視力の弱い者が瞬時に切れ目を見つけられ、又はそれを見つけてより容易で迅速に使用済粘着テープを剥がすことができる。
【考案の効果】
【００２３】  本考案の効果は、上記課題を解決して、ユニバーサルに高齢者や老眼者や視力の弱い者が瞬時に老眼鏡なしでも切れ目を見つけ易くし、より容易で迅速に使用済粘着テープを剥がすことができるようにしたことである。【００２４】  具体的には、上記切れ目部分に対する的確な目印用の着色は、高齢者等が老眼鏡や暗い場所等でも無理なく容易に当該クリーナーを見つけることができるようにした。【００２５】  また、切れ目の形状を工夫し粘着テープの端部を未粘着部分を設けて、老眼だけでなく握力や筋力の衰えや低下等により困難であった高齢者等の使用済粘着テープの剥がし作業をより容易とした。【００２６】  そして、それらによって当該クリーナーに対する効率的な経済性を得ただけでなく、ユニバーサルに高齢者や老眼者や視力の弱い者がより容易で迅速に使用できるようにしたことである。
【考案を実施するための最良の形態】
【００２７】  本考案について、図１及び図２の実施例に基づいて説明する。ただし、本考案はこれらに限るものではなく、作図も主要な構成物のみとする。【００２８】  図１は、本考案の実施例（１）を示す斜視図で、粘着テープロール２の側面部３に切れ目４を設け、同時にその部分を着色する（着色部５）。そして、当該ロール２に巻かれる粘着テープ６は片面を粘着部７としつつ、切れ目４を含む僅かな幅は未粘着部８とする。【００２９】  これにより、高齢者や老眼者や視力の弱い者でも、老眼鏡を用いず、暗所でも瞬時に着色部５を頼りに切れ目４を見つけることができ、そして未粘着部８としている切れ目４に指の腹を当てて容易で迅速に使用済粘着テープ９を剥がすことができる。【００３０】  図２は、本考案の実施例（２）を示す部分斜視図で、粘着テープロール２において切れ目４を末広がり型の切れ目４−１（着色有り）としたものである。これは切れ目４の縦筋型ではなく、粘着テープ層１０を内部に向けて三角錐のように掘り削って窪みを設けている。【００３１】  これは、高齢者等が着色部５を瞬時に見つけても指先が自在に動かず、切れ目４では上手く使用済粘着テープ９を掴めない場合に、例えば親指の腹がそのまま切れ目４−１の窪みに収まりつつ、当該テープ９を容易に掴めるようにしたものである。
【図面の簡単な説明】
【００３２】
【図１】本考案の実施例（１）を示す斜視図。
【図２】本考案の実施例（２）を示す部分斜視図。
【符号の説明】
【００３３】  １      ユニバーサル粘着テープクリーナー
２      粘着テープロール
３      （粘着テープロールの）側面部
４      切れ目
４−１  切れ目（末広がり型）
５      着色部
６      粘着テープ
７      粘着部
８      未粘着部
９      使用済粘着テープ
１０      粘着テープ層
【図１】
0003167203.tif 000003
【図２】
0003167203.tif 000004
【手続補正書】
【提出日】平成23年1月20日(2011.1.20)
【手続補正１】
【補正対象書類名】実用新案登録請求の範囲
【補正対象項目名】全文
【補正方法】変更
【補正の内容】
【実用新案登録請求の範囲】
【請求項１】
粘着テープクリーナーの使用済粘着テープを容易に剥がすために粘着テープロール側面部に設けた切れ目部分に目印用の着色をし、又は当該切れ目部分のある粘着テープの端部に僅かな幅で未粘着部分を設けて、高齢者や老眼者や視力の弱い者が切れ目を瞬時に見つけ、又はそれを瞬時に見つけてより容易で迅速に使用済粘着テープを剥がせるようにしたことを特徴とする粘着テープクリーナー。
【請求項２】
前記使用済粘着テープを容易に剥がすために粘着テープロール側面部に設けた切れ目部分に、目印用の着色をしたことを特徴とする請求項１記載の粘着テープクリーナー。
【請求項３】
前記使用済粘着テープを容易に剥がすために粘着テープロール側面部に設けた切れ目部分を、当該テープロールの最外端部からロール芯の中央部に向けて斜めに掘り削って使用済粘着テープをより容易に剥がすことができる末広がり型としたことを特徴とする請求項１記載の粘着テープクリーナー。
【請求項４】
前記使用済粘着テープを容易に剥がすために粘着テープロール側面部に設けた切れ目部分側の粘着テープの端部に、僅かな幅で未粘着部分を設けたことを特徴とする請求項１記載の粘着テープクリーナー。
【手続補正３】
【補正対象書類名】明細書
【補正対象項目名】０００１
【補正方法】変更
【補正の内容】
【０００１】  本考案は、粘着テープクリーナーの使用済粘着テープを容易に剥がすために粘着テープロール側面部に設けた切れ目部分に目印用の着色をし、又は当該切れ目部分のある粘着テープの端部に僅かな幅で未粘着部分を設けて、高齢者や老眼者や視力の弱い者が切れ目を瞬時に見つけ、又はそれを瞬時に見つけてより容易で迅速に使用済粘着テープを剥がせるようにした粘着テープクリーナーに関する。
【手続補正４】
【補正対象書類名】明細書
【補正対象項目名】００２２
【補正方法】変更
【補正の内容】
【００２２】  それらにより、高齢者や老眼者や視力の弱い者が瞬時に切れ目を見つけられ、又はそれを見つけてより容易で迅速に使用済粘着テープを剥がすことができる。
【手続補正５】
【補正対象書類名】明細書
【補正対象項目名】００２３
【補正方法】変更
【補正の内容】
【００２３】  本考案の効果は、上記課題を解決して、高齢者や老眼者や視力の弱い者が瞬時に老眼鏡なしでも切れ目を見つけ易くし、より容易で迅速に使用済粘着テープを剥がすことができるようにしたことである。
【手続補正６】
【補正対象書類名】明細書
【補正対象項目名】００２６
【補正方法】変更
【補正の内容】
【００２６】  そして、それらによって当該クリーナーに対する効率的な経済性を得ただけでなく、高齢者や老眼者や視力の弱い者がより容易で迅速に使用できるようにしたことである。
【手続補正７】
【補正対象書類名】明細書
【補正対象項目名】００３３
【補正方法】変更
【補正の内容】
【００３３】  １      粘着テープクリーナー
２      粘着テープロール
３      粘着テープロール側面部
４      切れ目
４−１  切れ目（末広がり型）
５      着色部
６      粘着テープ
７      粘着部
８      未粘着部
９      使用済粘着テープ
１０      粘着テープ層